(57)【特許請求の範囲】
【請求項１】
トリム本体（１１）をセットした圧着用上型（４０）と、装飾シート（２０）をセットした圧着用下型（５０）とを型締めすることにより、トリム本体（１１）の表面所定箇所に装飾シート（２０）を圧着し、圧着用下型（５０）に設けた木目込み用バー（６０）を上昇動作させることにより、トリム本体（１１）の木目込み用溝部（１４）内に装飾シート（２０）の端末（２０ａ）を圧入処理する内装トリムにおける装飾シートの圧着方法であって、
圧着用上下型（４０，５０）の型締めによるトリム本体（１１）と装飾シート（２０）との圧着一体化後、木目込み用バー（６０）の上昇時、木目込み用バー（６０）の上端と干渉する位置に設けられたシール材（７０）がトリム本体（１１）の木目込み用溝部（１４）内に一部侵入し、装飾シート（２０）の端末（２０ａ）をトリム本体（１１）の木目込み用溝部（１４）の内壁面並びに開口縁の肩部（Ａ）に沿って押圧することを特徴とする内装トリムにおける装飾シートの圧着方法。
【請求項２】
トリム本体（１１）をセットする上下動可能な圧着用上型（４０）と、装飾シート（２０）の接合面を上側にしてセットする圧着用下型（５０）と、トリム本体（１１）の木目込み用溝部（１４）内に装飾シート（２０）の端末（２０ａ）を圧入するための圧着用下型（５０）のセットガイド（５１）近傍に設けられる上下動可能な木目込み用バー（６０）と、圧着用下型（５０）の上面で、木目込み用バー（６０）の挿通孔（５２）の上面開口（５２ａ）に先端テーパー部（７１）が臨むように設けられているシール材（７０）とから構成され、木目込み用バー（６０）の上昇動作に追従して、シール材（７０）の先端テーパー部（７１）が弾性変形して木目込み用溝部（１４）内に侵入することを特徴とする内装トリムにおける装飾シートの圧着用金型。
【請求項３】
前記シール材（７０）は、装飾シート（２０）の設置エリアの全面に亘り圧着用下型（５０）の上面に設けられていることを特徴とする請求項２に記載の内装トリムにおける装飾シートの圧着用金型。
【発明の詳細な説明】
【０００１】
【発明の属する技術分野】
本発明は、内装トリムにおける装飾シートの圧着方法並びに圧着用金型に関するもので、特に、金型強度を低下させることなく、装飾シートの端末をトリム本体の木目込み用溝部内に美麗に圧入処理できる装飾シートの圧着方法並びに圧着用金型に関する。
【０００２】
【従来の技術】
通常、自動車室内には、各種内装部品が内装されており、図９は自動車のドアパネルに内装される自動車用ドアトリム１を示すもので、自動車用ドアトリム１は、所望の曲面形状に成形されたドアトリム本体２の表面所定箇所（中接部）にクロス等の装飾シート３が圧着一体化されており、装飾シート３の周縁端末３ａは、ドアトリム本体２の木目込み用溝部２ａ内に圧入処理されている。
【０００３】
そして、ドアトリム本体２と装飾シート３の圧着加工については、図１０に示す圧着用金型４を使用して行なう。すなわち、圧着用金型４は、トリム本体２をセットする上下動可能な圧着用上型５と、装飾シート３をセットする圧着用下型６とから構成されている。
【０００４】
まず、圧着用下型６の上面に装飾シート３をセットするが、このとき、装飾シート３の裏面には、接着剤、あるいは粘着剤が塗工処理されている。そして、圧着用下型６には、装飾シート３を適正位置にセットするためのセットガイド６ａが設けられおり、このセットガイド６ａの内側に沿って木目込み用バー７がシリンダ７ａと連結され、木目込み用バー７は所定ストローク上下動可能である。
【０００５】
次いで、図１１に示すように、ドアトリム本体２をセットした圧着用上型５を下死点まで下降させて、圧着用上下型５，６の型締めにより、ドアトリム本体２の表面に装飾シート３を接着剤（粘着剤）を介して圧着一体化する。更に、圧着用上下型５，６の型締め後、木目込み用バー７をシリンダ７ａの駆動により、所定ストローク上昇させて、装飾シート３の端末３ａをドアトリム本体２の木目込み用溝部２ａ内に圧入する端末処理を行なう。
【０００６】
【発明が解決しようとする課題】
しかしながら、従来の装飾シート３の圧着方法においては、ドアトリム本体２に形成される木目込み用溝部２ａの形状や深さ寸法が型抜き上の問題や型強度等の面で多くの制約を受け、特に、木目込み用溝部２ａの開口縁の肩部（図１１中Ａで示す部位）は角Ｒ形状に設定されているため、この肩部Ａに圧力がかかりづらく、装飾シート３の端末剥がれが生じやすく、外観見栄えを著しく低下させるという不具合があった。特に装飾シート３の厚みを薄肉仕様とした場合、装飾シート３の剥がれが多発する傾向にある。従って、手直し作業等に多くの工数を費やし、生産性の低下を招くという欠点が指摘されている。
【０００７】
更に、ドアトリム本体２の木目込み用溝部２ａの肩部Ａに圧力が加わるように、圧着用下型６の金型形状として、図１２に符号Ｂで示す突出部を設定した場合、この突出部Ｂの型強度が低下し、圧着用下型６の耐久性を低下させる原因となる。
【０００８】
本発明は、このような事情に鑑みてなされたもので、ドアトリムの中接部に圧着する装飾シートに代表される内装トリムにおける装飾シートの圧着方法並びに圧着用金型において、金型の強度を低下させることなく装飾シートの端末処理（木目込み用溝部内への圧入処理）を確実に行なうことにより、外観見栄えの向上を図るとともに、手直し作業を廃止でき、生産性を高めることができる内装トリムにおける装飾シートの圧着方法並びに圧着用金型を提供することを目的とする。
【０００９】
【課題を解決するための手段】
上記目的を達成するために、本発明は、トリム本体をセットした圧着用上型と、装飾シートをセットした圧着用下型とを型締めすることにより、トリム本体の表面所定箇所に装飾シートを圧着し、圧着用下型に設けた木目込み用バーを上昇動作させることにより、トリム本体の木目込み用溝部内に装飾シートの端末を圧入処理する内装トリムにおける装飾シートの圧着方法であって、圧着用上下型の型締めによるトリム本体と装飾シートとの圧着一体化後、木目込み用バーの上昇時、木目込み用バーの上端と干渉する位置に設けられたシール材がトリム本体の木目込み用溝部内に一部侵入し、装飾シートの端末をトリム本体の木目込み用溝部の内壁面並びに開口縁の肩部に沿って押圧することを特徴とする。
【００１０】
また、本発明に使用する圧着用金型は、トリム本体をセットする上下動可能な圧着用上型と、装飾シートの接合面を上側にしてセットする圧着用下型と、トリム本体の木目込み用溝部内に装飾シートの端末を圧入するための圧着用下型のセットガイド近傍に設けられる上下動可能な木目込み用バーと、圧着用下型の上面で、木目込み用バーの挿通孔の上面開口に先端テーパー部が臨むように設けられているシール材とから構成され、木目込み用バーの上昇動作に追従して、シール材の先端テーパー部が弾性変形して木目込み用溝部内に侵入することを特徴とする。
【００１１】
ここで、内装トリムとしては、ドアトリムやワゴン車のラゲージサイドトリム等に適用でき、トリム本体は、合成樹脂の射出成形体、モールドプレス成形体であり、装飾シートはクロスや不織布等の布地シートが適している。
【００１２】
また、装飾シートは、トリム本体に対する接着媒体として粘着剤が使用されても良く、また、溶媒タイプの接着剤が塗工されていても良い。尚、粘着剤を使用する際は離型紙が貼付されており、圧着加工前に離型紙を剥離操作して、粘着剤面を露出させて使用する。
【００１３】
更に、圧着用金型は、固定側の圧着用下型と可動側の圧着用上型とから構成されており、装飾シートは圧着用下型にセットされ、トリム本体は圧着用上型にセットされる。
【００１４】
そして、圧着用上型には、所定ストローク上下動可能となるように、昇降用シリンダが接続されている。一方、圧着用下型には、装飾シートを適正位置にセットするためのセットガイドが設けられているとともに、木目込み処理を行なう木目込み用バーがシリンダに接続され、上下動可能に付設されている。更に、装飾シートを木目込み用溝部の開口縁肩部に対して押圧できるように、木目込み用バーの先端に被さり、木目込み用バーの上下動作と追従して撓み変形するシール材が設けられている。
【００１５】
上記シール材は、圧着用下型における木目込み用バーの挿通孔近傍部分に設けられ、シール材の上面が圧着用下型の型面を構成できるように、下型の凹部内に収容設置するのが良い。
【００１６】
また、シール材は、シリコーンラバー等の弾性変形可能な素材であり、特に、木目込み用バーの動作に追従して、シール材が木目込み用溝部内に侵入しやすいように、シール材の先端をテーパー状にするのが良い。
【００１７】
従って、本発明によれば、圧着用上下型の型締めにより、トリム本体に装飾シートを圧着固定した後、圧着用下型に設けた木目込み用バーを上昇させて、トリム本体の木目込み用溝部内に装飾シートの端末を木目込み処理する際、木目込み用バーの先端にかかるようにシール材が設けられているため、シール材の先端テーパー部が木目込み用バーとともに木目込み用溝部内に侵入することにより、装飾シートの端末部分をトリム本体の木目込み用溝部の側壁並びに開口縁肩部に強固に圧着することができ、装飾シート端末部分の剥離等の不具合を可及的に防止できる。
【００１８】
そして、シール材を設けることにより、圧着用下型の造形状をテーパー状に設定する必要がないため、圧着用下型の型強度が低下することがない。
【００１９】
【発明の実施の形態】
以下、本発明に係る内装トリムにおける装飾シートの圧着方法並びに圧着用金型の実施形態について、添付図面を参照しながら詳細に説明する。
【００２０】
図１，図２は本発明方法を適用して製作した自動車用ドアトリムを示す正面図並びに断面図、図３は本発明に係る圧着用金型の概略構成を示す説明図、図４は同圧着用金型の要部を示す拡大図である。
【００２１】
更に、図５乃至図７は本発明方法をドアトリムに対する装飾シートの圧着方法に適用したもので、図５はセット工程を示す説明図、図６は圧着工程を示す説明図、図７は木目込み処理工程を示す説明図である。更に、図８は本発明に係る圧着用金型の別実施形態を示す要部断面図である。
【００２２】
図１，図２において、本発明方法を適用して製作した自動車用ドアトリム１０の構成について説明すると、自動車用ドアトリム１０は、ドアトリム本体１１とその中接部分に装着される装飾シート２０とから大略構成されている。
【００２３】
更に詳しくは、ドアトリム本体１１は、ドアトリムアッパー１２とドアトリムロア１３との上下２分割体から構成されており、ドアトリムアッパー１２には、装飾シート２０の周縁部分を木目込み処理する木目込み用溝部１４が凹設されているとともに、ドアトリムロア１３には、ドアポケット１５並びにスピーカグリル１６が形成されており、ドアトリムアッパー１２とドアトリムロア１３は、図２に示すように、ドアトリムロア１３の裏面に突設形成されている超音波用ボス１３ａをドアトリムアッパー１２に開設されている取付孔１２ａ内に挿入した後、超音波用ボス１３ａの先端を超音波溶着によりカシメ加工することにより、ドアトリムアッパー１２とドアトリムロア１３が強固に接合されている。
【００２４】
尚、ドアトリムアッパー１２並びにドアトリムロア１３は、タルクを混入したＰＰ（ポリプロピレン）樹脂をモールドプレス成形することにより所望の曲面形状に成形されており、装飾シート２０は、ベルベット、モケット等のクロスシートが使用され、実際にはドアトリムアッパー１２の表面に装飾シート２０が圧着されているが、装飾シート２０の裏面に塗工されている粘着剤層２１を介してドアトリム本体１１に圧着固定されている。
【００２５】
次いで、図３，図４において、本発明に係る圧着用金型３０の構成について説明すると、図３に示すように、圧着用金型３０は、ドアトリム本体１１（実際にはドアトリムアッパー１２）をセットするための圧着用上型４０と、装飾シート２０をセットする圧着用下型５０とから大略構成されており、圧着用上型４０は所定ストローク上下動可能なように昇降用シリンダ４１と接続している。一方、圧着用下型５０は、装飾シート２０を適正位置にセットできるようにセットガイド５１が端末側に設けられており、ドアトリム本体１１（ドアトリムアッパー１２）の木目込み用溝部１４に対応して、圧着用下型５０には木目込み用バー６０が設けられている。尚、この木目込み用バー６０は、シリンダ６１に接続され、所定ストローク上下動可能である。
【００２６】
更に、本発明に係る圧着用金型３０は、木目込み用バー６０を挿通させる圧着用下型５０の挿通孔５２の上面開口５２ａに沿って、シリコーンラバーを素材とした弾性変形可能なシール材７０が挿通孔５２の上面開口５２ａに臨むように、取り付けられており、このシール材７０は、先端が撓み変形しやすいように、先端縁に沿って先端テーパー部７１が形成されている。
【００２７】
そして、上記シール材７０を圧着用下型５０に取り付ける取付構造としては、図４に示すように、圧着用下型５０には、挿通孔５２の内側に沿ってシール材７０を収容できる収容凹部５３が設けられており、この収容凹部５３内にシール材７０をセットした状態では、圧着用下型５０の型面とシール材７０の上面とが面一になるように収容凹部５３の深さが調整され、シール材７０に設けた取付孔７２内に挿通したビス７３を圧着用下型５０の取付孔５４内に締付け固定することにより取り付けられ、ビス７３を取り外すことでシール材７０を簡単に交換でき、メンテナンスが容易に行なえる。
【００２８】
次に、圧着用金型３０を使用して、ドアトリム本体１１に装飾シート２０を圧着固定する工程について説明すると、まず、図５に示すように、圧着用上型４０の型面にドアトリムアッパー１３をセットするとともに、圧着用下型５０の上面に装飾シート２０をセットガイド５１を利用して適正位置にセットする。このとき、シール材７０は、木目込み用バー６０の先端６０ａに当接した状態であり、シール材７０の上面がフラット面であり、装飾シート２０のセット作業に支障を与えることがない。
【００２９】
次いで、圧着用上下型４０，５０にドアトリムアッパー１３並びに装飾シート２０のセットが完了すれば、図６に示すように、圧着用上型４０が昇降用シリンダ４１の駆動により、所定ストローク下降して、圧着用上下型４０，５０が型締めされて、ドアトリムアッパー１２の表面所定箇所に装飾シート２０が粘着剤２１を介して圧着一体化される。
【００３０】
その後、図７に示すように、木目込み用バー６０がシリンダ６１の駆動により所定ストローク上昇する。そして、このとき、シール材７０の先端テーパー部７１が木目込みバー６０によりドアトリムアッパー１２に形成されている木目込み用溝部１４内に侵入し、木目込み用溝部１４の開口縁の肩部（図７中Ａで示す）についても、装飾シート２０に強固な圧着力を付与することができ、装飾シート２０の端末２０ａを木目込み用溝部１４内に確実かつ堅固に接着固定することができ、装飾シート２０の端末剥がれ等の不良が大幅に低減できるため、良好な外観見栄えが期待でき、手直し作業の廃止により、生産性を高めることができる。
【００３１】
そして、本発明に係る圧着用金型３０は、シール材７０の弾性変形部（本実施形態では先端テーパー部７１）が木目込み用バー６０の動作と追従するように、シール材７０の先端テーパー部７１を木目込み用バー６０の挿通孔５２の上面開口５２ａに臨むように設ければ良く、圧着用下型６０をテーパー状に加工する必要がないため、圧着用下型５０の金型強度の低下を招くこともない。
【００３２】
また、シール材７０としては、シリコーンラバーを使用したが、ネオプレンラバー、イソプレンラバー等、汎用のラバー体やポリウレタンフォーム等の合成樹脂発泡体等の弾性体を使用することができるが、シリコーンラバーは離型性を備えており、粘着剤等が付着することがないため適している。
【００３３】
更に、図８に示すように、シール材７０は、装飾シート２０を設置する圧着用下型５０の上面の全面に亘って設けても良く、その場合についても、木目込み用バー６０に対向する部位については、弾性変形可能な先端テーパー部７１が設けられている。
【００３４】
尚、シール材７０を圧着用下型５０の上面全面に設ける場合には、例えば装飾シート２０を保持するための圧着用下型５０に突設される真空吸引孔５５と連通するように、シール材７０においても真空吸引孔７４を開設する必要がある。
【００３５】
以上説明した実施形態は、自動車用ドアトリム１０のドアトリム本体１１に対する装飾シート２０の圧着加工方法並びにそれに使用する圧着用金型３０であるが、ワゴン車等のラゲージサイドトリムにおけるトリム本体にクロス、不織布等を素材とした装飾シートを圧着する方法等についても適用でき、本発明は上述した実施形態に限定されるものではない。
【００３６】
【発明の効果】
以上説明した通り、本発明に係る内装トリムにおける装飾シートの圧着方法並びに圧着用金型は、トリム本体の木目込み用溝部内に装飾シートの端末を木目込み処理する木目込み用バーの近傍部分にシール材を設け、木目込み用バーの上昇時にシール材の先端テーパー部が木目込み用溝部内に侵入することにより、従来圧力が加わりにくい木目込み用溝部開口縁の肩部に対しても、装飾シートをトリム本体側に強固に圧着することを可能としたため、装飾シート端末部の剥がれ不良を可及的に防止できるとともに外観見栄えを良好に維持でき、手直し作業の廃止により生産性を著しく高めることができるとともに、圧着用下型の造形においてもテーパー部を設定する必要がなく、圧着用下型の型強度を低下させることもない。
【００３７】
従って、装飾シートが厚手仕様、薄手仕様のいずれの仕様においても、装飾シートの端末部分を木目込み用溝部内に確実かつ美麗に圧入処理でき、生産性を高めるとともに、装飾シート周縁部分の見栄えも美麗に維持できるという作用効果を有する。
【図面の簡単な説明】
【図１】本発明方法を使用して製作した自動車用ドアトリムを示す正面図である。
【図２】図１中II−II線断面図である。
【図３】本発明に係る圧着用金型の概略構成を示す説明図である。
【図４】図３に示す圧着用金型におけるシール材設置箇所を示す拡大図である。
【図５】本発明に係る装飾シートの圧着方法におけるトリム本体並びに装飾シートのセット工程を示す説明図である。
【図６】本発明に係る装飾シートの圧着方法における装飾シートの圧着工程を示す説明図である。
【図７】本発明に係る装飾シートの圧着方法における装飾シート端末部分の木目込み処理工程を示す説明図である。
【図８】本発明に係る圧着用金型の別実施形態の概略構成を示す部分断面図である。
【図９】従来の自動車用ドアトリムを示す正面図である。
【図１０】従来の自動車用ドアトリムにおける装飾シートの圧着工程を示す説明図である。
【図１１】従来の装飾シートにおける木目込み処理を示す説明図である。
【図１２】従来の圧着用下型の構成を示す説明図である。
【符号の説明】
１０  自動車用ドアトリム
１１  ドアトリム本体
１２  ドアトリムアッパー
１３  ドアトリムロア
１４  木目込み用溝部
１５  ドアポケット
１６  スピーカーグリル
２０  装飾シート
２０ａ  端末
２１  粘着剤層
３０  圧着用金型
４０  圧着用上型
４１  昇降用シリンダ
５０  圧着用下型
５１  セットガイド
５２  挿通孔
５３  収容凹部
６０  木目込み用バー
６１  シリンダ
７０  シール材
７１  先端テーパー部
７２  取付孔
【図１】
0003909548.tif 000002
【図２】
0003909548.tif 000003
【図３】
0003909548.tif 000004
【図４】
0003909548.tif 000005
【図５】
0003909548.tif 000006
【図６】
0003909548.tif 000007
【図７】
0003909548.tif 000008
【図８】
0003909548.tif 000009
【図９】
0003909548.tif 000010
【図１０】
0003909548.tif 000011
【図１１】
0003909548.tif 000012
【図１２】
0003909548.tif 000013